Podtech/llm-jp-corpus-v4-ja_patent huggingface dataset:
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
記録材に形成された画像を加熱する像加熱部材と、前記像加熱部材との間で記録材を挟
持搬送するニップ部を形成する加圧部材と、第一の記録材に形成された画像に対して第一
の像加熱条件で加熱する第一モードと前記第一の記録材の厚みよりも大きい厚みの第二の
記録材に形成された画像に対して第二の像加熱条件で加熱する第二モードとを実行する実
行部と、を有する画像形成装置において、
複数の第一の記録材に形成された画像の前記ニップ部における加熱に続いて第二の記録
材に形成された画像を前記ニップ部で連続して加熱する際に、前記第一モードから前記第
二モードへの切換え動作期間は第一の記録材が前記ニップ部を通過する通過期間と重なる
期間を有し、前記重なる期間では、前記第一の像加熱条件と異なる第三の像加熱条件で第
一の記録材を加熱することを特徴とする画像形成装置。
【請求項２】
前記複数の第一の記録材に形成された画像を連続して加熱する際の記録材間の間隔と、前記第一の記録材と前記第二の記録材との間の間隔は同じであることを特徴とする請求項１に記載の画像形成装置。
【請求項３】
前記第一モードから前記第二モードへの切換え動作は、前記複数の第一の記録材の記録材間で開始し、少なくとも前記第一の記録材が前記ニップ部を通過した後であって、前記第二の記録材が前記ニップ部に進入する前に終了することを特徴とする請求項１又は請求項２に記載の画像形成装置。
【請求項４】
前記第二の像加熱条件の加圧力は、前記第一の像加熱条件の加圧力よりも大きく、前記第三の像加熱条件の加圧力は、前記第一の像加熱条件の加圧力よりも大きく、前記第二の像加熱条件の加圧力よりも小さく設定されていることを特徴とする請求項１乃至請求項３の何れか一項に記載の画像形成装置。
【請求項５】
前記第三の像加熱条件における前記第一の記録材の通紙速度は、前記第一の像加熱条件における前記第一の記録材の通紙速度よりも大きいことを特徴とする請求項１乃至請求項４の何れか一項に記載の画像形成装置。
【請求項６】
前記第一モードから前記第二モードへの切換え動作期間は前記第二の記録材の直前に搬送される第一の記録材が前記ニップ部を通過する通過期間と重なることを特徴とする請求項１乃至請求項５の何れか一項に記載の画像形成装置。
【請求項７】
記録材に形成された画像を加熱する像加熱部材と、前記像加熱部材との間で記録材を挟持搬送するニップ部を形成する加圧部材と、第一の記録材に形成された画像に対して第一の像加熱条件で加熱する第一モードと前記第一の記録材の厚みよりも大きい厚みの第二の記録材に形成された画像に対して第二の像加熱条件で加熱する第二モードとを実行する実行部と、を有する画像形成装置において、
第二の記録材に形成された画像の前記ニップ部における加熱に続いて複数の第一の記録材に形成された画像を前記ニップ部で連続して加熱する際に、前記第二モードから前記第一モードへの切換え動作期間は第一の記録材が前記ニップ部を通過する通過期間と重なる期間を有し、前記重なる期間では、前記第一の像加熱条件と異なる第三の像加熱条件で第一の記録材を加熱することを特徴とする画像形成装置。
【請求項８】
前記第二モードから前記第一モードへの切換え動作は、前記第二の記録材と前記第一の記録材との間の記録材間で開始し、前記第二の記録材の直後に搬送される第一の記録材が前記ニップ部を通過し終わった後であって、その次の第一の記録材が前記ニップ部に進入する前に終了することを特徴とする請求項７に記載の画像形成装置。
【請求項９】
前記第二の像加熱条件の加圧力は、前記第一の像加熱条件の加圧力よりも大きく、前記第三の像加熱条件の加圧力は、前記第一の像加熱条件の加圧力よりも大きく、前記第二の像加熱条件の加圧力よりも小さく設定されていることを特徴とする請求項７又は請求項８に記載の画像形成装置。
【請求項１０】
前記第三の像加熱条件における前記第一の記録材の通紙速度は、前記第一の像加熱条件における前記第一の記録材の通紙速度よりも大きいことを特徴とする請求項７乃至請求項９の何れか一項に記載の画像形成装置。
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
光束を射出する管球部、および前記管球部から前記光束が射出される側に延出する封止部を有する発光管と、
前記発光管が固定され、前記光束を反射するリフレクターと、
前記リフレクターを保持する保持部と、を備え、
前記保持部は、
前記発光管の側方に設けられ、前記光束の光軸に対して略直交する方向に冷却風を前記保持部材内に導入する吸気口と、
前記吸気口と前記発光管との間に設けられた隔壁と、
前記隔壁により前記発光管の上方側と下方側とに分岐して設けられ、冷却風を前記発光管に向けて流通させる複数の流路と、
前記隔壁に設けられ、前記吸気口から導入された冷却風の一部が通過する第１の開口部と、
前記第１の開口部の前記吸気口側に設けられ、前記光軸に略平行な回動軸を中心として回動し、前記複数の流路のうち下方側の流路を閉塞するシャッターと、を備え、
前記シャッターは、前記回動軸側に設けられ、前記吸気口側から見て前記第１の開口部に重なる位置に配置される第２の開口部を有することを特徴とする光源装置。
【請求項２】
請求項１に記載の光源装置であって、
前記シャッターの前記回動軸は、前記吸気口側から見て前記第１の開口部の上下方向における略中央の高さに配置されていることを特徴とする光源装置。
【請求項３】
請求項２に記載の光源装置であって、
前記シャッターの前記回動軸は、前記吸気口側から見て前記光軸と略同一の高さに配置されていることを特徴とする光源装置。
【請求項４】
請求項３に記載の光源装置であって、
前記複数の流路は、冷却風を前記管球部に向けて流通させ、
前記第１の開口部は、前記吸気口側から見て前記封止部に重なる位置に配置されていることを特徴とする光源装置。
【請求項５】
請求項１から請求項４のいずれか一項に記載の光源装置であって、
前記吸気口、前記第１の開口部、および前記第２の開口部は、前記吸気口側から見て重なる位置に配置されることを特徴とするプロジェクター。
【請求項６】
請求項１から請求項５のいずれか一項に記載の光源装置と、
前記光源装置から射出された光束を変調する光変調装置と、
前記光変調装置により変調された光束を投写する投写光学装置と、を備えていることを特徴とするプロジェクター。
【請求項７】
請求項５に記載の光源装置と、
前記光源装置から射出された光束を変調する光変調装置と、
前記光変調装置により変調された光束を投写する投写光学装置と、を備え
前記吸気口、前記第１の開口部、および前記第２の開口部は、前記光軸の方向に交差し、且つ前記投写光学装置により光束が投写される投写方向に沿って配置されることを特徴とするプロジェクター。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
撮像装置に搭載されるシャッター装置であって、
被写体からの光が通過する開口部を開閉すると共に、当該開口部の開口面積を調整する羽根部材と、
前記羽根部材を絞りとして開閉駆動するための第１の駆動制御と、シャッターとして開閉駆動するための第２の駆動制御とが可能な駆動手段と、を備え、
前記駆動手段は、被写体を撮像素子により撮像するときに、前記羽根部材を絞りとして閉じ方向に駆動した第１の位置から、一旦羽根部材を開く方向に駆動した後、前記羽根部材を全閉位置まで作動させることを特徴とするシャッター装置。
【請求項２】
前記第１の位置から開放位置までは前記第１の駆動制御により前記羽根部材を駆動し、前記開放位置から前記全閉位置までは前記第２の駆動制御により前記羽根部材を駆動することを特徴とする請求項１に記載のシャッター装置。
【請求項３】
前記羽根部材を開く方向に駆動して停止させる位置は、前記開口部の開口面積が最大となる位置から前記羽根部材をさらに開く方向に駆動した位置であることを特徴とする請求項１または２に記載のシャッター装置。
【請求項４】
前記駆動手段は、ステッピングモータであり、
前記第１の駆動制御は、前記第２の駆動制御で用いる１周期分のパルスを分割したパルスを用いるマイクロステップ駆動を行うことを特徴とする請求項１ないし３のいずれか１項に記載のシャッター装置。
【請求項５】
撮像手段と、
前記撮像手段に入射する光が通過する開口部を開閉すると共に、当該開口部の開口面積を調整する羽根部材と、
前記羽根部材を絞りとして開閉駆動するための第１の駆動制御と、シャッターとして開閉駆動するための第２の駆動制御とが可能な駆動手段と、
前記駆動手段と前記撮像手段とを制御する制御手段と、を備え、
前記制御手段は、前記撮像手段により被写体を撮像するときに、前記羽根部材を絞りとして閉じ方向に駆動した第１の位置から、一旦羽根部材を開く方向に駆動した後、前記羽根部材を閉じ方向に駆動させ始めてから全閉位置に到達するまでの間に前記撮像手段の露光を開始させることを特徴とする撮像装置。
【請求項６】
前記制御手段は、前記羽根部材の閉動作に基づく露光量のずれを補償するように前記羽根部材の閉動作の開始指示のタイミングの補正を行い、
前記羽根部材を閉じ方向に駆動させ始めてから全閉位置に到達するまでの間に前記撮像手段の露光を開始させる場合は、前記撮像手段の露光を開始させるときの絞り値に基づく補正量を用いて前記補正を行い、
前記羽根部材を閉じ方向に駆動させ始める前に前記撮像手段の露光を開始させる場合は、閉動作の前に一旦羽根部材を開いたときの絞り値に基づく補正量を用いて前記補正を行うことを特徴とする請求項５に記載の撮像装置。
【請求項７】
被写体からの光が通過する開口部を開閉すると共に、当該開口部の開口面積を調整する羽根部材と、前記羽根部材を絞りとして開閉駆動するための第１の駆動制御と、シャッターとして開閉駆動するための第２の駆動制御とが可能な駆動手段と、を備えたシャッター装置のシャッター制御方法であって、
被写体を撮像素子により撮像するときに、前記羽根部材を絞りとして閉じ方向に駆動した第１の位置から、一旦羽根部材を開く方向に駆動した後、前記羽根部材を全閉位置まで作動させることを特徴とするシャッター制御方法。
【手続補正２】
【補正対象書類名】明細書
【補正対象項目名】０００９
【補正方法】変更
【補正の内容】
【０００９】
上記課題を解決し、目的を達成するために、本発明は、撮像装置に搭載される絞り機能付きシャッター装置であって、被写体からの光が通過する開口部を開閉すると共に、当該開口部の開口面積を調整する羽根部材と、前記羽根部材を絞りとして開閉駆動するための第１の駆動制御と、シャッターとして開閉駆動するための第２の駆動制御とが可能な駆動手段と、前記駆動手段と撮像素子とを制御する制御手段と、を備え、前記制御手段は、被写体を撮像素子により撮像するときに適正な露出となるように、前記羽根部材を絞りとして閉じ方向に駆動した第１の位置から、一旦羽根部材を開く方向に駆動した後、前記羽根部材を全閉位置まで作動させる途中で前記撮像素子への露光を開始する。
【手続補正３】
【補正対象書類名】明細書
【補正対象項目名】００１７
【補正方法】変更
【補正の内容】
【００１７】
６は地板２の他方面にビス７により取り付けられるカバー部材であり、地板２との間に羽根部材４，５を収容して閉塞する。カバー部材６には絞りの開放径（最大開口径）を決める開口部６ａが形成されている。アーム３の両端部に突設された軸３ａ，３ｂは、地板２に形成された円弧孔を介してそれぞれ２枚の羽根部材４，５に形成された孔４ａ，５ａに嵌装されている。アーム３がステッピングモータ１の駆動軸１ａの回転により揺動すると、軸３ａ，３ｂが孔４ａ，５ａを押す又は引くことにより２枚の羽根部材４，５がそれぞれ同一直線上で互いに相反する方向にスライドする。このことにより、カバー部材６の開口部６ａで規定される最大開口径が羽根部材４，５の曲線部４ｃ，５ｃが重なることで形成される絞りの形状により遮蔽され、開口面積が大きくなったり小さくなったりする。
【手続補正４】
【補正対象書類名】明細書
【補正対象項目名】００２０
【補正方法】変更
【補正の内容】
【００２０】
アーム３が紙面に対して反時計方向に回転し、軸３ａが左端及び軸３ｂが右端（閉ストッパー）にあるステップ８の位置にあるときに開口部６ａが曲線部４ｃ，５ｃの重なりにより完全に塞がれることで図２（ｂ）に示すように全閉状態になる。
【手続補正５】
【補正対象書類名】明細書
【補正対象項目名】００２３
【補正方法】変更
【補正の内容】
【００２３】
図４（ｂ）は撮影時のステッピングモータ１の動作を模式的に示している。図４（ｂ）の縦軸はステッピングモータ１のステップ数を表しており絞りの開口面積の大きさに対応している。すなわち、図４（ａ）に示した対応関係に基づき、縦軸の上方であるほど絞りの開口面積が大きくなる。図４（ｂ）の横軸は時間ｔを表している。
【手続補正書】
【提出日】平成25年3月5日(2013.3.5)
【手続補正１】
【補正対象書類名】明細書
【補正対象項目名】００２０
【補正方法】変更
【補正の内容】
【００２０】
請求項２の硬貨処理装置は、動作部を備え、前記動作部を保留動作位置と駆動動作位置とに切り替え可能な、単一の駆動手段と、第１硬貨選別通路に案内された第１硬貨を所定の位置に保留する保留位置と、前記第１硬貨を解放する解放位置とをとり得る、第１硬貨保留レバーと、第２硬貨選別通路に案内された第２硬貨を所定の位置に保留する保留位置と、前記第２硬貨を解放する解放位置とをとり得る、第２硬貨保留レバーと、前記駆動手段の前記動作部によって駆動され、前記動作部が前記保留動作位置をとるときに保留位置をとり、前記動作部が前記駆動動作位置をとるときに解放位置をとる、第１リンク部材と、保留位置と解放位置とをとることの可能な、第２リンク部材と、前記第１硬貨が前記第１硬貨選別通路に保留されているか否かを検知する検知機能を備え、その検知の結果に応じて、前記第１リンク部材と前記第２リンク部材とに係合する係合位置と、前記第１リンク部材と前記第２リンク部材との少なくとも一方との係合が解除された非係合位置とをとり得る硬貨検知‐リンク部材であって、保留の非検知時には、前記係合位置をとることにより、前記第１リンク部材が保留位置にあるときには前記第２リンク部材も保留位置をとるようにし、前記第１リンク部材が解放位置に切り替わったときには前記第２リンク部材も解放位置に切り替わるようにし、保留の検知時には、前記非係合位置をとることにより、前記第１リンク部材の位置に関わらず前記第２リンク部材が保留位置をとるようにする、硬貨検知‐リンク部材と、を備え、前記第１リンク部材に対して前記第１硬貨保留レバーが係合されており、前記第１リンク部材が保留位置にあるときには前記第１硬貨保留レバーは保留位置をとり、前記第１リンク部材が解放位置に切り替わったときには、前記第１リンク部材によって前記第１硬貨保留レバーが解放位置に切り替えられ、前記第２リンク部材に対して前記第２硬貨保留レバーが係合されており、前記第２リンク部材が保留位置にあるときには前記第２硬貨保留レバーは保留位置をとり、前記第２リンク部材が解放位置に切り替わったときには、前記第２リンク部材によって前記第２硬貨保留レバーが解放位置に切り替えられる、ことを特徴とする硬貨一時保留機構を備えることを特徴とする。
【手続補正２】
【補正対象書類名】特許請求の範囲
【補正対象項目名】請求項２
【補正方法】変更
【補正の内容】
【請求項２】
動作部を備え、前記動作部を保留動作位置と駆動動作位置とに切り替え可能な、単一の駆動手段と、
第１硬貨選別通路に案内された第１硬貨を所定の位置に保留する保留位置と、前記第１硬貨を解放する解放位置とをとり得る、第１硬貨保留レバーと、
第２硬貨選別通路に案内された第２硬貨を所定の位置に保留する保留位置と、前記第２硬貨を解放する解放位置とをとり得る、第２硬貨保留レバーと、
前記駆動手段の前記動作部によって駆動され、前記動作部が前記保留動作位置をとるときに保留位置をとり、前記動作部が前記駆動動作位置をとるときに解放位置をとる、第１リンク部材と、
保留位置と解放位置とをとることの可能な、第２リンク部材と、
前記第１硬貨が前記第１硬貨選別通路に保留されているか否かを検知する検知機能を備え、その検知の結果に応じて、前記第１リンク部材と前記第２リンク部材とに係合する係合位置と、前記第１リンク部材と前記第２リンク部材との少なくとも一方との係合が解除された非係合位置とをとり得る硬貨検知‐リンク部材であって、保留の非検知時には、前記係合位置をとることにより、前記第１リンク部材が保留位置にあるときには前記第２リンク部材も保留位置をとるようにし、前記第１リンク部材が解放位置に切り替わったときには前記第２リンク部材も解放位置に切り替わるようにし、保留の検知時には、前記非係合位置をとることにより、前記第１リンク部材の位置に関わらず前記第２リンク部材が保留位置をとるようにする、硬貨検知‐リンク部材と、
を備え、
前記第１リンク部材に対して前記第１硬貨保留レバーが係合されており、前記第１リンク部材が保留位置にあるときには前記第１硬貨保留レバーは保留位置をとり、前記第１リンク部材が解放位置に切り替わったときには、前記第１リンク部材によって前記第１硬貨保留レバーが解放位置に切り替えられ、
前記第２リンク部材に対して前記第２硬貨保留レバーが係合されており、前記第２リンク部材が保留位置にあるときには前記第２硬貨保留レバーは保留位置をとり、前記第２リンク部材が解放位置に切り替わったときには、前記第２リンク部材によって前記第２硬貨保留レバーが解放位置に切り替えられる、
ことを特徴とする硬貨一時保留機構を備えた硬貨処理装置。
【手続補正書】
【提出日】平成25年2月22日(2013.2.22)
【手続補正１】
【補正対象書類名】明細書
【補正対象項目名】０００７
【補正方法】変更
【補正の内容】
【０００７】
本発明に係る投票用紙の読取装置は、投票用紙が搬送される搬送路と、搬送路に対向して配置された撮像手段と、撮像手段に接続された情報処理手段とを備え、撮像手段は、投票用紙が搬送路を搬送される際に、投票用紙の面を表す画像情報を生成し、情報処理手段は、学習モードにおいて、他事記載を含まない投票用紙の面を表す画像情報中の着色を表す着色ドットを膨張させてマスク領域を決定し、情報処理手段は、判定モードにおいて、画像情報中のマスク領域以外における着色ドットを膨張させて膨張線を決定し、膨張線が閉じた環を形成するか否かを判定する。
【手続補正２】
【補正対象書類名】特許請求の範囲
【補正対象項目名】全文
【補正方法】変更
【補正の内容】
【特許請求の範囲】
【請求項１】
投票用紙が搬送される搬送路と、
前記搬送路に対向して配置された撮像手段と、
前記撮像手段に接続された情報処理手段と
を備え、
前記撮像手段は、前記投票用紙が前記搬送路を搬送される際に、前記投票用紙の面を表す画像情報を生成し、
前記情報処理手段は、学習モードにおいて、他事記載を含まない前記投票用紙の面を表す前記画像情報中の着色を表す着色ドットを膨張させてマスク領域を決定し、
前記情報処理手段は、判定モードにおいて、前記画像情報中の前記マスク領域以外における着色ドットを膨張させて膨張線を決定し、前記膨張線が閉じた環を形成するか否かを判定する
投票用紙の読取装置。
【請求項２】
前記学習モードにおける前記着色ドットの前記膨張は、前記着色ドットの周囲に位置するドットを前記マスク領域の一部とすることにより行われ、
前記判定モードにおける前記着色ドットの前記膨張は、前記着色ドットの周囲に位置するドットを前記膨張線の一部とすることにより行われる、請求項１に記載の投票用紙の読取装置。
【請求項３】
前記着色ドットの周囲に位置するドットは、前記着色ドットから所定の範囲内に位置するドットである、請求項１に投票用紙の読取装置。
【請求項４】
前記着色ドットは、前記投票用紙への印刷または筆記用具による書込みを表すドットである、請求項１〜３のいずれか一項に投票用紙の読取装置。
【請求項５】
請求項１〜４のいずれか一項に記載の投票用紙の読取装置を用いた投票用紙の読取方法。
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
他車の情報を車外から受信する通信装置が自車に設けられ、
前記他車の走行制御に係る制御目標値に対しての制御応答を示す伝達関数に関する情報と、自車の前記通信装置を介して取得した当該他車の前記制御目標値と、に基づいて、自車の走行制御を行うことを特徴とした車両制御システム。
【請求項２】
前記自車の走行制御の実行時には、前記通信装置を介して取得した前記他車の仕様情報も利用することを特徴とした請求項１記載の車両制御システム。
【請求項３】
前記他車の前記伝達関数に関する情報は、自車の前記通信装置を介して取得することを特徴とした請求項１又は２に記載の車両制御システム。
【請求項４】
前記他車の前記伝達関数に関する情報は、該他車の前記制御目標値と当該制御目標値に対する実際の出力の測定値とに基づいて自車で演算することを特徴とした請求項１又は２に記載の車両制御システム。
【請求項５】
前記実際の出力の測定値は、前記他車が測定したものを自車の前記通信装置を介して取得する又は自車で測定することを特徴とした請求項４記載の車両制御システム。
【請求項６】
自車の前記伝達関数に関する情報も考慮に入れて自車が前記走行制御を行う際の制御目標値を設定することを特徴とした請求項１記載の車両制御システム。
【請求項７】
車外から受信した他車の情報を用いて各車両間での走行制御を行う制御装置が各車両に設けられ、
自車の走行制御に係る制御目標値に対しての制御応答を示す伝達関数に関する情報を自車から送信することを特徴とした車両制御システム。
【請求項８】
前記伝達関数に関する情報は、時定数であることを特徴とした請求項１から７の内の何れか１つに記載の車両制御システム。
【手続補正２】
【補正対象書類名】明細書
【補正対象項目名】０００６
【補正方法】変更
【補正の内容】
【０００６】
上記目的を達成する為、本発明は、他車の情報を車外から受信する通信装置が自車に設けられており、前記他車の走行制御に係る制御目標値に対しての制御応答を示す伝達関数に関する情報と、自車の前記通信装置を介して取得した当該他車の前記制御目標値と、に基づいて、自車の走行制御を行うことを特徴としている。
【手続補正３】
【補正対象書類名】明細書
【補正対象項目名】００１２
【補正方法】変更
【補正の内容】
【００１２】
また、上記目的を達成する為、本発明は、車外から受信した他車の情報を用いて各車両間での走行制御を行う制御装置が各車両に設けられており、自車の走行制御に係る制御目標値に対しての制御応答を示す伝達関数に関する情報を自車から送信することが望ましい。
【手続補正書】
【提出日】平成25年6月26日(2013.6.26)
【手続補正１】
【補正対象書類名】明細書
【補正対象項目名】０００９
【補正方法】変更
【補正の内容】
【０００９】
上記課題を解決するために、請求項１に記載のオーダエントリシステムは、
オーダ情報の入力を行うハンディ端末と、店舗のテーブルに設置されて接客スタッフの呼び出しを行う呼び鈴装置と、を備えるオーダエントリシステムであって、
前記呼び鈴装置は、
前記接客スタッフの呼び出しの入力を受け付ける呼び鈴スイッチ部と、
前記接客スタッフの呼び出しが入力された場合に、呼び鈴装置の呼び出し及び設置されているテーブルの識別情報を含む呼出情報を前記ハンディ端末に送信する呼出情報送信部と、を備え、
前記ハンディ端末は、
前記呼出情報を前記呼び鈴装置から受信し、当該呼出情報に応じて呼び出しを報知部に報知させる報知制御部と、
前記受信した呼出情報のテーブルの識別情報に対応する伝票情報の入力を受け付ける伝票入力処理を起動する起動制御部と、を備える。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
オーダ情報の入力を行うハンディ端末と、店舗のテーブルに設置されて接客スタッフの呼び出しを行う呼び鈴装置と、を備えるオーダエントリシステムであって、
前記呼び鈴装置は、
前記接客スタッフの呼び出しの入力を受け付ける呼び鈴スイッチ部と、
前記接客スタッフの呼び出しが入力された場合に、呼び鈴装置の呼び出し及び設置されているテーブルの識別情報を含む呼出情報を前記ハンディ端末に送信する呼出情報送信部と、を備え、
前記ハンディ端末は、
前記呼出情報を前記呼び鈴装置から受信し、当該呼出情報に応じて呼び出しを報知部に報知させる報知制御部と、
前記受信した呼出情報のテーブルの識別情報に対応する伝票情報の入力を受け付ける伝票入力処理を起動する起動制御部と、を備えるオーダエントリシステム。
【請求項２】
前記呼出情報送信部は、前記呼出情報として、前記接客の状態情報を含む呼出情報を前記ハンディ端末に送信し、
前記起動制御部は、前記受信した呼出情報の状態情報に応じて、呼び出しに対する接客が遅いか否かを判別し、遅い場合に、前記受信した呼出情報のテーブルの識別情報に対応する伝票情報の入力を受け付ける伝票入力処理を起動する請求項１に記載のオーダエントリシステム。
【請求項３】
前記状態情報は、未接客での呼出回数であり、
前記呼出情報送信部は、前記接客スタッフの呼び出しが入力された場合に、呼出回数をカウントアップし、当該呼出回数及び設置されたテーブルの識別情報を含む呼出情報を前記ハンディ端末に送信し、
前記起動制御部は、前記受信した呼出情報の呼出回数が所定回数以上であるか否かを判別し、所定回数以上である場合に、前記受信した呼出情報のテーブルの識別情報に対応する伝票入力処理を起動する請求項１または２に記載のオーダエントリシステム。
【請求項４】
前記起動制御部は、前記受信した呼出情報のテーブルの識別情報に対応する伝票情報があるか否かを判別し、伝票情報がある場合に、当該テーブルの識別情報に対応する伝票情報を開いて更新入力を受け付ける伝票入力処理を起動し、伝票情報がない場合に、当該テーブルの識別情報に対応する新たな伝票情報の入力を受け付ける新規伝票入力処理を起動する請求項１〜３のいずれか一項に記載のオーダエントリシステム。
【請求項５】
前記ハンディ端末は、
前記受信した呼出情報の呼び出しに対する応答情報の入力を受け付ける操作部と、
前記入力された応答情報を前記呼び鈴装置に送信する応答情報送信部と、を備え、
前記呼出情報送信部は、前記応答情報を前記ハンディ端末から受信し、前記呼び鈴スイッチ部により呼び出しが再度入力された場合に、前記応答情報を受信しているか否かを判別し、前記応答情報を受信している場合に、接客を催促する催促情報をさらに含む呼出情報を前記ハンディ端末に送信し、
前記報知制御部は、前記呼出情報を前記呼び鈴装置から受信し、当該呼出情報の催促情報に応じて、接客の催促を前記報知部に報知させる請求項１から４のいずれか一項に記載のオーダエントリシステム。
【請求項６】
前記呼出情報送信部は、前記呼び鈴スイッチ部により呼び出しが入力されてから所定時間を経過したか否かを判別し、当該所定時間を経過した場合に、当該所定時間を経過した旨の経過情報をさらに含む呼出情報を前記ハンディ端末に送信し、
前記報知制御部は、前記呼出情報を前記呼び鈴装置から受信し、当該呼出情報の経過情報に応じて、前記呼び出しが入力されてから所定時間を経過した旨を前記報知部に報知させる請求項１から５のいずれか一項に記載のオーダエントリシステム。
【請求項７】
前記テーブルは、複数のグループに分けられ、
前記呼出情報送信部は、前記呼び鈴スイッチ部により呼び出しが入力された場合に、設置されているテーブルのグループの識別情報をさらに含む呼出情報を前記ハンディ端末に送信し、
前記報知制御部は、前記受信した呼出情報のグループの識別情報が、自機のハンディ端末が担当するグループの識別情報か否かを判別し、担当するグループの識別情報である場合に、呼び出しを前記報知部に報知させる請求項１から６のいずれか一項に記載のオーダエントリシステム。
【手続補正書】
【提出日】平成25年6月26日(2013.6.26)
【手続補正１】
【補正対象書類名】明細書
【補正対象項目名】発明の名称
【補正方法】変更
【補正の内容】
【発明の名称】オーダエントリシステム、コントローラ及びプログラム
【手続補正２】
【補正対象書類名】明細書
【補正対象項目名】０００１
【補正方法】変更
【補正の内容】
【０００１】
本発明は、オーダエントリシステム、コントローラ及びプログラムに関する。
【手続補正３】
【補正対象書類名】明細書
【補正対象項目名】００１３
【補正方法】変更
【補正の内容】
【００１３】
上記課題を解決するため、請求項４に記載の発明のコントローラは、
ハンディ端末がオーダ中か否かを示すオーダ状況情報をハンディ端末の識別情報に対応付けて記憶する記憶部と、
オーダ開始情報、オーダ終了情報及びオーダ内容情報を前記ハンディ端末から受信し、当該オーダ開始情報及び当該オーダ終了情報に応じて前記記憶された当該ハンディ端末のオーダ状況情報を更新し、前記オーダ内容情報の伝票の識別情報及びテーブルの識別情報を当該ハンディ端末の識別情報に対応付けて前記記憶部に記憶する管理部と、
前記伝票の識別情報を厨房端末から受信すると、前記記憶されたオーダ状況情報に応じて、前記記憶されたハンディ端末の識別情報からオーダ中でないハンディ端末の識別情報を抽出する抽出部と、
前記厨房端末から受信した伝票の識別情報に対応する前記記憶されたテーブルの識別情報に応じて、当該伝票のアイテムを当該テーブルへ配膳する配膳指示情報を、前記抽出された識別情報のハンディ端末に送信する配膳指示部と、を備える。
【手続補正４】
【補正対象書類名】明細書
【補正対象項目名】００１４
【補正方法】変更
【補正の内容】
【００１４】
上記課題を解決するため、請求項５に記載の発明のプログラムは、
コンピュータを、
ハンディ端末がオーダ中か否かを示すオーダ状況情報をハンディ端末の識別情報に対応付けて記憶する記憶部、
オーダ開始情報、オーダ終了情報及びオーダ内容情報を前記ハンディ端末から受信し、当該オーダ開始情報及び当該オーダ終了情報に応じて前記記憶された当該ハンディ端末のオーダ状況情報を更新し、前記オーダ内容情報の伝票の識別情報及びテーブルの識別情報を当該ハンディ端末の識別情報に対応付けて前記記憶部に記憶する管理部、
前記伝票の識別情報を厨房端末から受信すると、前記記憶されたオーダ状況情報に応じて、前記記憶されたハンディ端末の識別情報からオーダ中でないハンディ端末の識別情報を抽出する抽出部、
前記厨房端末から受信した伝票の識別情報に対応する前記記憶されたテーブルの識別情報に応じて、当該伝票のアイテムを当該テーブルへ配膳する配膳指示情報を、前記抽出された識別情報のハンディ端末に送信する配膳指示部、
として機能させるためのプログラムである。
【手続補正５】
【補正対象書類名】特許請求の範囲
【補正対象項目名】全文
【補正方法】変更
【補正の内容】
【特許請求の範囲】
【請求項１】
複数のハンディ端末と、厨房端末と、コントローラと、が通信接続されたオーダエントリシステムであって、
前記ハンディ端末は、
テーブル毎のオーダ開始、オーダ内容情報及びオーダ終了の入力を受け付ける第１の操作部と、
前記オーダ開始の入力に応じて、オーダ開始情報を前記コントローラに送信し、前記オーダ終了の入力に応じて、オーダ終了情報及びオーダ内容情報を前記コントローラに送信するオーダ情報送信部と、を備え、
前記厨房端末は、
出来上がったアイテムの伝票の識別情報の入力を受け付ける第２の操作部と、
前記入力された伝票の識別情報を前記コントローラに送信する伝票情報送信部と、を備え、
前記コントローラは、
ハンディ端末がオーダ中か否かを示すオーダ状況情報をハンディ端末の識別情報に対応付けて記憶する記憶部と、
前記オーダ開始情報、前記オーダ終了情報及び前記オーダ内容情報を前記ハンディ端末から受信し、当該オーダ開始情報及び当該オーダ終了情報に応じて前記記憶された当該ハンディ端末のオーダ状況情報を更新し、前記オーダ内容情報の伝票の識別情報及びテーブルの識別情報を当該ハンディ端末の識別情報に対応付けて前記記憶部に記憶する管理部と、
前記伝票の識別情報を前記厨房端末から受信すると、前記記憶されたオーダ状況情報に応じて、前記記憶されたハンディ端末の識別情報からオーダ中でないハンディ端末の識別情報を抽出する抽出部と、
前記厨房端末から受信した伝票の識別情報に対応する前記記憶されたテーブルの識別情報に応じて、当該伝票のアイテムを当該テーブルへ配膳する配膳指示情報を、前記抽出された識別情報のハンディ端末に送信する配膳指示部と、
を備えるオーダエントリシステム。
【請求項２】
前記抽出部は、オーダ中でないハンディ端末の識別情報が無い場合に、前記厨房端末から受信した伝票の識別情報に対応する前記記憶されたハンディ端末の識別情報を抽出する請求項１に記載のオーダエントリシステム。
【請求項３】
前記管理部は、配膳済数をハンディ端末の識別情報に対応付けて前記記憶部に記憶し、
前記抽出部は、オーダ中でないハンディ端末の識別情報が複数ある場合に、前記記憶されたオーダ中でない複数のハンディ端末の識別情報のうち、最も配膳済数が少ないハンディ端末の識別情報を抽出する請求項１又は２に記載のオーダエントリシステム。
【請求項４】
ハンディ端末がオーダ中か否かを示すオーダ状況情報をハンディ端末の識別情報に対応付けて記憶する記憶部と、
オーダ開始情報、オーダ終了情報及びオーダ内容情報を前記ハンディ端末から受信し、当該オーダ開始情報及び当該オーダ終了情報に応じて前記記憶された当該ハンディ端末のオーダ状況情報を更新し、前記オーダ内容情報の伝票の識別情報及びテーブルの識別情報を当該ハンディ端末の識別情報に対応付けて前記記憶部に記憶する管理部と、
前記伝票の識別情報を厨房端末から受信すると、前記記憶されたオーダ状況情報に応じて、前記記憶されたハンディ端末の識別情報からオーダ中でないハンディ端末の識別情報を抽出する抽出部と、
前記厨房端末から受信した伝票の識別情報に対応する前記記憶されたテーブルの識別情報に応じて、当該伝票のアイテムを当該テーブルへ配膳する配膳指示情報を、前記抽出された識別情報のハンディ端末に送信する配膳指示部と、
を備えるコントローラ。
【請求項５】
コンピュータを、
ハンディ端末がオーダ中か否かを示すオーダ状況情報をハンディ端末の識別情報に対応付けて記憶する記憶部、
オーダ開始情報、オーダ終了情報及びオーダ内容情報を前記ハンディ端末から受信し、当該オーダ開始情報及び当該オーダ終了情報に応じて前記記憶された当該ハンディ端末のオーダ状況情報を更新し、前記オーダ内容情報の伝票の識別情報及びテーブルの識別情報を当該ハンディ端末の識別情報に対応付けて前記記憶部に記憶する管理部、
前記伝票の識別情報を厨房端末から受信すると、前記記憶されたオーダ状況情報に応じて、前記記憶されたハンディ端末の識別情報からオーダ中でないハンディ端末の識別情報を抽出する抽出部、
前記厨房端末から受信した伝票の識別情報に対応する前記記憶されたテーブルの識別情報に応じて、当該伝票のアイテムを当該テーブルへ配膳する配膳指示情報を、前記抽出された識別情報のハンディ端末に送信する配膳指示部、
として機能させるためのプログラム。
【手続補正書】
【提出日】平成24年12月6日(2012.12.6)
【手続補正１】
【補正対象書類名】特許請求の範囲
【補正対象項目名】全文
【補正方法】変更
【補正の内容】
【特許請求の範囲】
【請求項１】
ベース部材と、当該ベース部材の面方向に所定の規則にしたがって配列された複数のドットを含む座標表示用のドットパターンとを有する位置座標符号化媒体であって、前記ベース部材の表面に当接されるペン先と、前記ベース部材に検出光を放射する光源部と、前記ベース部材からの戻り光を受光するイメージセンサと、当該イメージセンサの出力信号に基づいて前記ペン先の当接部の座標データを算出する信号処理部とを備えた電子ペン装置に前記ペン先の当接部の座標データを与えるものにおいて、
前記ベース部材が可視光透過性にして前記検出光の透過性、吸収性又は反射性のいずれかを有し、前記ドットが前記検出光の散乱性を有することを特徴とする位置座標符号化媒体。
【請求項２】
前記ベース部材を可視光透過性かつ前記検出光の透過性を有する材料をもって形成すると共に、前記検出光の入射側からみて前記ドットパターンの印刷面よりも下層に可視光透過性の検出光反射膜又は可視光透過性の検出光吸収膜を形成して、前記ベース部材に検出光反射性又は検出光吸収性を付与したことを特徴とする請求項１に記載の位置座標符号化媒体。
【請求項３】
前記ベース部材の前記ペン先が当接される面及び前記ドットパターンの外面のうちの少なくともいずれか一方に保護膜を形成したことを特徴とする請求項１又は２に記載の位置座標符号化媒体。
【請求項４】
他部材に被着するための粘着剤層が片面に形成されていることを特徴とする請求項１〜３のいずれか１項に記載の位置座標符号化媒体。
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
ワークフローを管理するワークフロー管理サーバにおいて、
前記ワークフローの同じアクティビティが複数回処理される経路を有する経路情報を記憶する経路情報記憶手段と、
前記ワークフローの処理済み及び現在処理中のアクティビティの進捗情報を記憶する進捗情報記憶手段と、
前記経路情報記憶手段に記憶された経路情報と、前記進捗情報記憶手段に記憶された進捗情報とから、前記現在処理中のアクティビティ以後に処理される各アクティビティの処理担当者を入力させる画面を生成制御する処理担当者入力画面制御手段と、
前記入力画面制御手段で処理担当者を入力させるアクティビティが、複数回処理されるアクティビティであり、該複数回処理されるアクティビティのうち、既に処理されたアクティビティがある場合、該複数回処理されるアクティビティのうちの未処理のアクティビティの処理担当者を入力させる画面に、該処理済みのアクティビティに割り当てられた処理担当者を表示させる処理担当者表示手段と、
を有することを特徴とするワークフロー管理サーバ。
【請求項２】
前記処理担当者入力画面制御手段は、前記複数回処理されるアクティビティが前記現在処理中のアクティビティより経路上の後で処理されるアクティビティの場合、該経路上の後で処理されるアクティビティの処理担当者を入力させる画面は表示しないことを特徴とする請求項１記載のワークフロー管理サーバ。
【請求項３】
前記経路情報記憶手段に記憶されたアクティビティと経路情報とを視覚的に表示制御する経路情報視覚化手段を有することを特徴とする請求項１又は２記載のワークフロー管理サーバ。
【請求項４】
前記処理担当者入力画面制御手段は、前記処理済みのアクティビティの処理担当者を表示する画面を生成制御する手段であり、
前記処理担当者表示手段は、前記処理済みのアクティビティの処理担当者と、前記複数回処理されるアクティビティの前記現在処理中のアクティビティ以後のアクティビティの処理担当者とを表示することを特徴とする請求項１乃至３記載のワークフロー管理サーバ。
【請求項５】
ワークフローの同じアクティビティを複数回処理される経路を有する経路情報を記憶する経路情報記憶手段と、該ワークフローの処理済み及び現在処理中のアクティビティの進捗情報を記憶する進捗情報記憶手段と、を有するワークフロー管理サーバの制御方法において、
前記経路情報記憶手段に記憶された経路情報と、前記進捗情報記憶手段に記憶された進捗情報とから、前記現在処理中のアクティビティ以後に処理される各アクティビティの処理担当者を入力させる画面を生成制御する処理担当者入力画面制御工程と、
前記入力画面制御工程で処理担当者を入力させるアクティビティが、複数回処理されるアクティビティであり、該複数回処理されるアクティビティのうち、既に処理されたアクティビティがある場合、該複数回処理されるアクティビティのうちの未処理のアクティビティの処理担当者を入力させる画面に、該処理済みのアクティビティに割り当てられた処理担当者を表示させる処理担当者表示工程と、
を有することを特徴とするワークフロー管理サーバの制御方法。
【請求項６】
請求項５に記載されたワークフロー管理サーバの制御方法を実行するためのプログラム。
【請求項７】
請求項５に記載されたワークフロー管理サーバの制御方法を実行するためのプログラムをコンピュータが読み取り可能に記憶した記憶媒体。
【手続補正２】
【補正対象書類名】明細書
【補正対象項目名】０００７
【補正方法】変更
【補正の内容】
【０００７】
本発明は上記の課題を解決するためになされたものであり、同じアクティビティが複数回処理される経路を有するワークフローにおいて、複数回処理されるアクティビティのうち、既に処理されたアクティビティがある場合、他方の未処理のアクティビティの処理担当者入力画面に、該既に処理されたアクティビティの処理担当者を表示させることを目的とする。
【手続補正３】
【補正対象書類名】明細書
【補正対象項目名】０００８
【補正方法】変更
【補正の内容】
【０００８】
ワークフローを管理するワークフロー管理サーバにおいて、前記ワークフローの同じアクティビティが複数回処理される経路を有する経路情報を記憶する経路情報記憶手段と、前記ワークフローの処理済み及び現在処理中のアクティビティの進捗情報を記憶する進捗情報記憶手段と、前記経路情報記憶手段に記憶された経路情報と、前記進捗情報記憶手段に記憶された進捗情報とから、前記現在処理中のアクティビティ以後に処理される各アクティビティの処理担当者を入力させる画面を生成制御する処理担当者入力画面制御手段と、前記入力画面制御手段で処理担当者を入力させるアクティビティが、複数回処理されるアクティビティであり、該複数回処理されるアクティビティのうち、既に処理されたアクティビティがある場合、該複数回処理されるアクティビティのうちの未処理のアクティビティの処理担当者を入力させる画面に、該処理済みのアクティビティに割り当てられた処理担当者を表示させる処理担当者表示手段と、を有することを特徴とする。
【手続補正４】
【補正対象書類名】明細書
【補正対象項目名】０００９
【補正方法】変更
【補正の内容】
【０００９】
本発明によれば、同じアクティビティが複数回処理される経路を有するワークフローにおいて、複数回処理されるアクティビティのうち、既に処理されたアクティビティがある場合、他方の未処理のアクティビティの処理担当者入力画面に、該既に処理されたアクティビティの処理担当者を表示させることが可能となる。
【手続補正５】
【補正対象書類名】明細書
【補正対象項目名】００５９
【補正方法】変更
【補正の内容】
【００５９】
判断する。即ち、ステップＳ３１５で読み出した遷移元のアクティビティの深さが表示対象のアクティビティの深さより大きい場合、ループ対象のアクティビティと判断する。
【手続補正６】
【補正対象書類名】明細書
【補正対象項目名】０１００
【補正方法】変更
【補正の内容】
【０１００】
続いて、ステップＳ４０３において、ワークフロー管理サーバ１０３は、表示する進捗
状況表の遷移先（表示対象）の行がループ対象のアクティビティかどうかの判断を行う。
ループ対象かどうかは前述したように、ステップＳ４０１で読み出した経路情報データの
遷移元のアクティビティの深さ（６０４）が表示対象の遷移先のアクティビティの深さ（
６０４）より大きい場合、ループ対象のアクティビティと判断する。
【手続補正７】
【補正対象書類名】明細書
【補正対象項目名】０１０９
【補正方法】変更
【補正の内容】
【０１０９】
一方、ステップＳ４０３において、遷移先（表示対象）のアクティビティがループ対象
ではないと判断された場合、即ち、ステップＳ４０１で読み出した経路情報データの遷移元のアクティビティの深さ（６０４）が表示対象の遷移先のアクティビティの深さ（６０
４）より小さい場合、ステップＳ４１０へと処理を進める。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
車両番号と位置情報を無線装置にて伝送する移動局と、前記移動局からの位置情報を収集すると共に配車情報を前記移動局に送信して配車処理する基地局とにより構成される配車処理システムであって、
前記基地局から配車シーケンスの実施中か否かを示す配車シーケンス状態を前記移動局に通知し、該移動局は前記基地局から通知された配車シーケンス状態が配車シーケンス中である場合には前記基地局への送信スロットのスロット割り当てを配車了解信号送信用と位置情報送信用とに分割して設定することを特徴とする配車処理システム。
【請求項２】
前記移動局は前記基地局から通知された配車シーケンス状態が配車シーケンス中でない場合には前記基地局への送信スロットの全てを位置情報送信用に設定することを特徴とする、請求項１記載の配車処理システム。
【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
画像形成先となる面を帯電装置で帯電させ、その面を露光装置による輻射で部分的に放電させ、それにより形成された潜像を現像装置にてトナーで現像する、という仕組みのマーキングエンジンを少なくとも１個備える画像印刷システムについて、発生するバンディングの特性を推定する方法であって、
複数の計測インターバルに亘りセンサで画像データを取得し、
プロセッサ上でタイミング情報に基づきその画像データを補強してコヒーレント信号を生成し、
最小自乗推定法に則りプロセッサ上でそのコヒーレント信号中の非周期成分から弁別することでバンディング特性を示す周期成分を検出し、
少なくともその周期成分を使用し随時出力を生成する方法。
【請求項２】
前記出力は、調べるべき構成部材をオペレータに通知するよう構成されたレポートである、
ことを特徴とする、請求項１に記載の方法。
【請求項３】
コントローラが、ルックアップテーブルを参照することでバンディング源を識別する、
ことを特徴とする、請求項１に記載の方法。
【請求項４】
１又は複数のアクチュエータを制御又は変調することで、バンディング欠陥を補償する、
ことを特徴とする、請求項１に記載の方法。
【請求項５】
前記バンディング特性の非周期成分は、ページ間ドリフト及び先後辺間変動を表す、
ことを特徴とする、請求項１に記載の方法。
【請求項６】
前記タイミング情報は、１又は複数のページ同期信号、若しくは１又は複数のＰＲ一巡信号を含む、
ことを特徴とする、請求項１に記載の方法。
【請求項７】
前記複数の計測インターバルは、印刷されたページ、文書間領域、ユーザ画像形成領域のうちの少なくとも１つである、
ことを特徴とする、請求項１に記載の方法。
【請求項８】
露光装置付のマーキングエンジンを備えた画像印刷システムについて、発生するバンディングの特性を推定するシステムであって、
複数の計測インターバルに亘る画像データ取得に使用されるセンサと、
タイミング情報に基づきその画像データを補強してコヒーレント信号を生成し、最小自乗推定法に則りそのコヒーレント信号中の非周期成分から弁別することでバンディング特性を示す周期成分を弁別するプロセッサと、
を備えるシステム。
【請求項９】
非一時的な機械可読媒体内に機械可読プログラムとして格納されており、プロセッサによって実行されることで、画像印刷システムにて発生するバンディングの特性が推定されるコンピュータソフトウェアであって、
複数の計測インターバルに亘りスキャンされた画像データをセンサに取得させ、
その画像データに基づきコヒーレント信号をプロセッサに生成させ、
最小自乗推定法に則りそのコヒーレント信号中の非周期成分から弁別することでバンディング特性を示す周期成分をプロセッサに検出させる、
ことを特徴とするコンピュータソフトウェア。
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
少なくとも1つのパネルを有する液晶パネルのマザー基板の製造方法であって、
基板にスペーサ材を堆積し、その後マスク露光工程を行い、サブスペーサ領域に対して露光せず、メインスペーサ領域に対して部分露光し、その他の領域に対して完全露光することにより、基板に高さの差があるサブスペーサとメインスペーサを形成し、前記メインスペーサは前記パネル内に配置され、前記サブスペーサは前記パネル外に配置されることを特徴とする液晶パネルのマザー基板の製造方法。
【請求項２】
前記メインスペーサ領域に対する部分露光にはスリットマスク露光、又はダブルトーンマスク露光が採用されることを特徴とする請求項1に記載の液晶パネルのマザー基板の製造方法。
【請求項３】
前記基板に堆積されたスペーサ材の厚さは6〜7μmであることを特徴とする請求項1または2に記載の液晶パネルのマザー基板の製造方法。
【請求項４】
マスク露光工程を行った後、前記メインスペーサの高さを3〜4μmに制御することを特徴とする請求項3に記載の液晶パネルのマザー基板の製造方法。
【請求項５】
前記スペーサ材はフォトレジストを含むことを特徴とする請求項1〜4の何れか一項に記載の液晶パネルのマザー基板の製造方法。
【請求項６】
前記基板は、カラーフィルタ基板又はアレイ基板であることを特徴とする請求項1〜5の何れか一項に記載の液晶パネルのマザー基板の製造方法。
【請求項７】
少なくとも1つのパネルを有する液晶パネルのマザー基板であって、
カラーフィルタ基板と、
前記カラーフィルタ基板と対向するアレイ基板と、
前記カラーフィルタ基板とアレイ基板との間に形成されたメイン密封材、サブ密封材、メインスペーサ及びサブスペーサを備え、
前記メイン密封材は前記パネルの周辺に沿って形成され、前記メインスペーサは前記メイン密封材に囲まれた領域内に配置され、前記サブ密封材は前記パネル外に形成され、前記サブスペーサは前記メイン密封材と前記サブ密封材との間に配置され、
前記サブスペーサとメインスペーサの高さは異なり、前記サブスペーサとメインスペーサのそれぞれがカラーフィルタ基板とアレイ基板における構造層に当接した後に維持される両基板間の距離は等しいことを特徴とする液晶パネルのマザー基板。
【請求項８】
前記サブスペーサは長尺の壁状のスペーサであることを特徴とする請求項7に記載の液晶パネルのマザー基板。
【請求項９】
前記サブスペーサは柱状のスペーサであることを特徴とする請求項7に記載の液晶パネルのマザー基板。
【請求項１０】
前記サブスペーサの底部の面積は前記メインスペーサの底部の面積よりも大きいことを特徴とする請求項7または9に記載の液晶パネルのマザー基板。
【請求項１１】
前記サブスペーサの分布密度は前記メインスペーサの分布密度よりも大きいことを特徴とする請求項9または10に記載の液晶パネルのマザー基板。
【請求項１２】
前記サブスペーサは前記カラーフィルタ基板、又は前記アレイ基板に形成されることを特徴とする請求項7〜11の何れか一項に記載の液晶パネルのマザー基板。